(57)【特許請求の範囲】
【請求項１】
複数の暖房端末と、これら各暖房端末の入水側管路に設けた三方弁と、該三方弁と各暖房端末の出水側管路との間に設けたバイパス管路と、上記暖房端末に温水を送り込むための熱源機を含むシステムと、暖房端末もしくはバイパス管路内を流れる温水を上記熱源機を含むシステムに強制的に循環させるためのポンプユニットと、上記各暖房端末毎に設けられ、該暖房端末の温度調節や暖房をオン・オフするための端末コントローラと、各端末コントローラを統括管理するためのコントロールユニットとを備え、暖房使用時には熱源機を含むシステムから供給される温水が三方弁を経由して各暖房端末内を流れた後、出水側管路から上記熱源機を含むシステム内に戻り、暖房不使用時には熱源機を含むシステムから供給される温水が当該暖房端末内を流れることなく三方弁からバイパス管路を経由した後、出水側管路から上記熱源機を含むシステム内に戻るようにした暖房装置であって、
上記コントロールユニットの三方弁コントローラ内に上記三方弁における通路接続の方向を反転させることができる切替手段を設け、施工時に暖房端末とバイパス管路の三方弁に対する取り付けを逆にした場合に、上記切替手段の切替操作によって三方弁の接続方向を反転させるようにしたことを特徴とする暖房装置。
【発明の詳細な説明】
【０００１】
【発明の属する技術分野】
本発明は、例えば床暖房装置等に適用されるものであって、複数の暖房端末を配設し、熱源機を含むシステムから供給した温水を該暖房端末内に流して暖房するための暖房装置に関する。
【０００２】
【従来の技術】
昨今、例えば床暖房装置等の暖房装置にあっては、各室の床内にそれぞれ暖房端末を配設し、熱源機を含むシステムから供給した温水を該暖房端末内に流して床暖房するための床暖房装置が普及している。このような暖房装置では、各室の床内に配設した暖房端末と、これら各暖房端末の入水側管路に設けた三方弁と、該三方弁と各暖房端末の出水側管路との間に設けたバイパス管路と、上記暖房端末に温水を送り込むための熱源機を含むシステムと、暖房端末もしくはバイパス管路内を流れる温水を上記熱源機を含むシステムに強制的に循環させるためのポンプユニットと、上記各暖房端末毎に設けられ、該暖房端末の温度調節や暖房をオン・オフするための端末コントローラ等を備えている。
そして、暖房使用時には熱源機を含むシステムから供給される温水が三方弁を経由して各暖房端末内を流れた後、出水側管路から上記熱源機を含むシステム内に戻るようになっている。
一方、暖房待機時もしくは特定の暖房端末のみ暖房をしない場合には、熱源機を含むシステムから供給される温水が各暖房端末もしくは特定の暖房端末内を流れることなく三方弁からバイパス管路を経由した後、出水側管路から上記熱源機を含むシステム内に戻るようになっている。
【０００３】
【発明が解決しようとする課題】
ところが施工時の取り付けミスで、三方弁と暖房端末側及びバイパス管路側との取り付けを逆に取り付ける場合がある。このような三方弁の施工上の取り付けミスは施工が完了した後、実際の暖房使用時にはじめて露見する。即ち、暖房使用時にバイパス管路側に温水が流れ、暖房待機時に暖房端末側に温水が流れることになって、本来の床暖房は成しえないことになる。
【０００４】
従来このような取り付けミスのあった場合には、改めて三方弁と暖房端末側及びバイパス管路側との接続作業をやり直していたが、この場合、床材を剥がしたり、コンクリートをめくったりという大掛かりな後工事が必要となる問題があった。特に大能力床暖房装置では、暖房端末や温水回路の上にコンクリートを打つことが多いため、その後工事に伴う労力のみならず、コスト面でもきわめて割高となるという不都合があった。
【０００５】
本発明は上記従来の床暖房装置の有する問題に鑑みて発明されたものであって、三方弁の取り付けミスがあったとしても、施工工事をやり直すことなく、正常な運転ができる暖房装置の提供を課題とする。
【０００６】
【課題を解決するための手段】
上記課題を達成するため、本発明の暖房装置は、複数の暖房端末と、これら各暖房端末の入水側管路に設けた三方弁と、該三方弁と各暖房端末の出水側管路との間に設けたバイパス管路と、上記暖房端末に温水を送り込むための熱源機を含むシステムと、暖房端末もしくはバイパス管路内を流れる温水を上記熱源機を含むシステムに強制的に循環させるためのポンプユニットと、上記各暖房端末毎に設けられ、該暖房端末の温度調節や暖房をオン・オフするための端末コントローラと、各端末コントローラを統括管理するためのコントロールユニットとを備え、暖房使用時には熱源機を含むシステムから供給される温水が三方弁を経由して各暖房端末内を流れた後、出水側管路から上記熱源機を含むシステム内に戻り、暖房不使用時には熱源機を含むシステムから供給される温水が当該暖房端末内を流れることなく三方弁からバイパス管路を経由した後、出水側管路から上記熱源機を含むシステム内に戻るようにした暖房装置であって、上記コントロールユニットの三方弁コントローラ内に上記三方弁における通路接続の方向を反転させることができる切替手段を設け、施工時に暖房端末とバイパス管路の三方弁に対する取り付けを逆にした場合に、上記切替手段の切替操作によって三方弁の接続方向を反転させるようにしたことを特徴としている。
上記特徴において、切替手段としては、ディップスイッチの他、ショートコネクタの抜き差し、ジャンパ線の接・断でもよく、要するに切替操作をコントロールユニットが電気的に認識できるものであればよい。
【０００７】
【発明の実施の形態】
図１は本発明の実施の形態例に係る暖房装置の構成図、図２は本発明の実施の形態例に係る暖房装置における要部の詳細図、図３は本発明の実施の形態例に係る暖房装置における三方弁の反転バリエーションを示す表である。
【０００８】
まず、本発明の実施の形態例に係る暖房装置の構成を図１及び図２を参照しながら説明する。
図１及び図２は床暖房装置への適用例を示しており、各室の床内に配設したそれぞれの暖房端末１ａ、１ｂ、１ｃと、これら各暖房端末１ａ、１ｂ、１ｃの入水側管路２ａ、２ｂ、２ｃに設けた三方弁３ａ、３ｂ、３ｃと、該三方弁３ａ、３ｂ、３ｃと各暖房端末１ａ、１ｂ、１ｃの出水側管路４ａ、４ｂ、４ｃとの間に設けたバイパス管路５ａ、５ｂ、５ｃと、上記各暖房端末１ａ、１ｂ、１ｃ毎に設けられ、該暖房端末１ａ、１ｂ、１ｃの温度調節や暖房をオン・オフするための端末コントローラ６ａ、６ｂ、６ｃと、各端末コントローラ６ａ、６ｂ、６ｃを統括管理するためのコントロールユニット７とを備えた構成となっている。なお、符号Ｇはバイパス管路５ａ、５ｂ、５ｃに配された定流量弁である。
【０００９】
またコントロールユニット７は、上記複数の端末コントローラ６ａ、６ｂ、６ｃ及び三方弁３ａ、３ｂ、３ｃとにそれぞれ回路的に接続されている。
また熱源機を含んだシステム８は、該熱源機で加熱した温水を上記入水側管路２ａ、２ｂ、２ｃによって各暖房端末１ａ、１ｂ、１ｃ内に循環させ、その後、温水を出水側管路４ａ、４ｂ、４ｃによって再び戻すことができるような構成となっている。なお９はポンプユニットであって、各暖房端末１ａ、１ｂ、１ｃもしくはバイパス管路５ａ、５ｂ、５ｃ内を流れる温水を上記熱源機を含むシステム８に強制的に循環させるためのものである。
【００１０】
さらに、メインリモコン１０によって暖房装置のスイッチオンやスイッチオフ、或いは熱源機で沸かす温水の温度設定ができるようになっており、これらの指示はマルチコントローラ１１を介して熱源機を含んだシステム８に、或いは上記コントロールユニット７に伝達され、該コントロールユニット７から端末コントローラ６ａ、６ｂ、６ｃに伝達され、各暖房端末１ａ、１ｂ、１ｃを個別制御できるようになっている。
【００１１】
このような暖房装置において、上記コントロールユニット７内には、図２で示すように、特に三方弁コントローラ１２が収納されており、該三方弁コントローラ１２内に三方弁３ａ、３ｂ、３ｃにおける通路接続の方向を反転させることができる切替手段としてのディップスイッチ１２ａを設けている。該ディップスイッチ１２ａの４つの各切替部（図２のディップスイッチ１２ａにナンバーとし１、２、３及び４と表示）の切替操作によって、施工時に暖房端末１ａ、１ｂ、１ｃとバイパス管路５ａ、５ｂ、５ｃの何れかの三方弁に対する取り付けを逆にしたような取り付けミスがあった場合に、その取り付けを逆にした三方弁の接続方向を反転させることができるようになっている。
より具体的には、例えば、Ｎｏ．１のディップスイッチをオンにすると、コントロールユニット７のマイクロコンピュータがこれを認識し、対応する三方弁３ａ用のリレー駆動信号を反転して出力するようになり、三方弁３ａの接続方向が反転することになる。
つまり、各三方弁のモータは、弁体を暖房側端末に接続する位置かバイパス管路側に接続する位置かの２つの位置の何れかに択一的に駆動するものであり、その切り替えは、三方弁コントローラ１２に設けられた各三方弁用のリレーによって行われる。コントロールユニット７のマイクロコンピュータは、各三方弁用のリレー駆動信号を出力する出力ポートを備えており、標準状態では、端末コントローラ６ａから暖房オン信号が入力されたとき、対応する三方弁３ａ用のリレー駆動信号として高値（Ｈｉ）を出力し、暖房オフ信号が入力されると低値（Ｌｏ）を出力するが、Ｎｏ．１のディップスイッチがオンであることを認識すると、暖房オン信号が入力されると低値（Ｌｏ）、暖房オフ信号が入力されると高値（Ｈｉ）を出力するのである。これにより、三方弁３ａの接続方向は、標準状態と逆になる。
【００１２】
図３は三方弁が４個ある場合における上記ディップスイッチ１２ａの４つの各切替部の切替バリエーションを示している。なお、三方弁の反転により接続変更した場合には、熱源機を含むシステム８側と上記各三方弁３ａ、３ｂ、３ｃにおける接続方向が変更されるのはいうまでもない。
勿論、三方弁が４個以上、多数ある場合もディップスイッチの数を同様に増加させることにより、それらの三方弁を自在に反転させることができる。
【００１３】
しかして、上記構成にかかる暖房装置によれば、暖房使用時に三方弁３ａ、３ｂ、３ｃの何れかに取り付けミスがあることが判明すれば、取り付けミスがあると判明した暖房端末に付設する三方弁３ａ、３ｂ、３ｃの何れかについて三方弁コントローラ１２内のディップスイッチ１２ａの切替操作によって通路接続の方向を反転させる。これにより、暖房使用中には暖房端末１ａ、１ｂ、１ｃ側に温水が流れ、暖房不使用時にはバイパス管路５ａ、５ｂ、５ｃ側に温水が流れ、当初から三方弁を正常に取り付けした場合と何ら変わらない仕様となる。
【００１４】
従って、取り付けミスの判明した三方弁を正常な取り付け状態にやり直すために床材を剥がしたり、コンクリートをめくったりといったことが全く不要となる。特に大能力床暖房装置では、暖房端末や温水回路の上にコンクリートを打つことが多いため、その後工事に伴う労力のみならず、コスト面でもきわめて割高となるという不都合があったことを考慮すると、大幅な労力の削減とコストダウンを図れるという利点がある。
【００１５】
【発明の効果】
本発明は以上の構成よりなり、請求項１に記載の暖房装置によれば、複数の暖房端末と、これら各暖房端末の入水側管路に設けた三方弁と、該三方弁と各暖房端末の出水側管路との間に設けたバイパス管路と、上記暖房端末に温水を送り込むための熱源機を含むシステムと、暖房端末もしくはバイパス管路内を流れる温水を上記熱源機を含むシステムに強制的に循環させるためのポンプユニットと、上記各暖房端末毎に設けられ、該暖房端末の温度調節や暖房をオン・オフするための端末コントローラと、各端末コントローラを統括管理するためのコントロールユニットとを備え、暖房使用時には熱源機を含むシステムから供給される温水が三方弁を経由して各暖房端末内を流れた後、出水側管路から上記熱源機を含むシステム内に戻り、暖房不使用時には熱源機を含むシステムから供給される温水が当該暖房端末内を流れることなく三方弁からバイパス管路を経由した後、出水側管路から上記熱源機を含むシステム内に戻るようにした暖房装置であって、上記コントロールユニットの三方弁コントローラ内に上記三方弁における通路接続の方向を反転させることができる切替手段を設け、施工時に暖房端末とバイパス管路の三方弁に対する取り付けを逆にした場合に、上記切替手段の切替操作によって三方弁の接続方向を反転させるようにしたので、
取り付けミスの判明した三方弁の通路接続の方向を、工事のやり直しを行うことなく、正常なものとすることができる。
従って、従来取り付けミスの判明した三方弁を正常な取り付け状態とするために床材を剥がしたり、コンクリートをめくったりというやっかいで、時間とコストのかかるやり直し工事が全く不要となる。
特に大能力床暖房装置では、暖房端末や温水回路の上にコンクリートを打つことが多いため、その後工事に伴う労力のみならず、コスト面でもきわめて割高となるという不都合があったことを考慮すると、大幅な労力の削減とコストダウンを図れるという利点がある。
【図面の簡単な説明】
【図１】本発明の実施の形態例に係る暖房装置の構成図である。
【図２】本発明の実施の形態例に係る暖房装置における要部の詳細図である。
【図３】本発明の実施の形態例に係る暖房装置における三方弁の反転バリエーションを示す表である。
【符号の説明】
１ａ、１ｂ、１ｃ  暖房端末
２ａ、２ｂ、２ｃ  入水側管路
３ａ、３ｂ、３ｃ  三方弁
４ａ、４ｂ、４ｃ  出水側管路
５ａ、５ｂ、５ｃ  バイパス管路
６ａ、６ｂ、６ｃ  端末コントローラ
７  コントロールユニット
８  熱源機を含んだシステム
９  ポンプユニット
１０  メインリモコン
１１  マルチコントローラ
１２  三方弁コントローラ
１２ａ  ディップスイッチ
Ｇ  定流量弁
【図１】
0003603600.tif 000002
【図２】
0003603600.tif 000003
【図３】
0003603600.tif 000004